(57)【要約】【課題】計量器の計量象限及び動作状態の視認性を向上させ、計量値の誤読及び動作状態の誤判定を防止する。【解決手段】本発明の一態様において、電力の計量値を表示する計量器の表示器は、第１から第４までの計量領域を４象限により表す４象限記号１７を表示可能であり、電力の計量値について、有効電力が正転側であり無効電力が遅れ側の場合、第１の計量領域を表す記号１７ａを点灯し、有効電力が逆転側であり無効電力が遅れ側の場合、第３の計量領域１７ｃを表す記号を点灯し、有効電力が正転側であり無効電力が進み側の場合、第４の計量領域を表す記号１７ｄを点灯し、有効電力が逆転側であり無効電力が進み側の場合、第２の計量領域１７ｂを表す記号を点灯する。【選択図】      図２
2005308576.tif 000002
【特許請求の範囲】
【請求項１】
電力の計量値を表示する計量器の表示器において、
第１から第４までの計量領域を４象限により表す４象限記号を表示可能であり、
前記電力の計量値について、有効電力が正転側であり無効電力が遅れ側の場合、前記４象限記号のうち前記第１の計量領域を表す記号を点灯し、
前記電力の計量値について、有効電力が逆転側であり無効電力が遅れ側の場合、前記４象限記号のうち前記第３の計量領域を表す記号を点灯し、
前記電力の計量値について、有効電力が正転側であり無効電力が進み側の場合、前記４象限記号のうち前記第４の計量領域を表す記号を点灯し、
前記電力の計量値について、有効電力が逆転側であり無効電力が進み側の場合、前記４象限記号のうち前記第２の計量領域を表す記号を点灯する
ことを特徴とする表示器。
【請求項２】
電力の計量値を表示する計量器の表示器において、
第１から第４までの計量領域を４象限により表す４象限記号を表示可能であり、
前記電力の計量値が有効電力の正転側の計量値の場合、前記４象限記号のうち前記第１の計量領域と前記第４の計量領域を表す記号を点灯し、
前記電力の計量値が有効電力の逆転側の計量値の場合、前記４象限記号のうち前記第２の計量領域と前記第３の計量領域を表す記号を点灯する
ことを特徴とする表示器。
【請求項３】
請求項１又は請求項２記載の計量器の表示器において、
前記計量器に入力された負荷が前記第１の計量領域に該当する場合、有効電力についてプラス記号を点灯するとともに、無効電力についてプラス記号を点灯し、
前記計量器に入力された負荷が前記第２の計量領域に該当する場合、有効電力についてマイナス記号を点灯するとともに、無効電力についてマイナス記号を点灯し、
前記計量器に入力された負荷が前記第３の計量領域に該当する場合、有効電力についてマイナス記号を点灯するとともに、無効電力についてプラス記号を点灯し、
前記計量器に入力された負荷が前記第４の計量領域に該当する場合、有効電力についてプラス記号を点灯するとともに、無効電力についてマイナス記号を点灯する
ことを特徴とする表示器。
【請求項４】
請求項１乃至請求項３のいずれか１項に記載の計量器の表示器において、
前記計量器に入力される電圧の相順が入れ替わった場合、逆相を表す記号を点灯することを特徴とする表示器。
【発明の詳細な説明】
【技術分野】
【０００１】
本発明は、計量器によって計量された計量値及び計量器の動作状態を表示する表示器に関する。
【背景技術】
【０００２】
計量器の一種に、電子式電力量計がある。従来の電子式電力量計の表示器は、計量象限と動作状態とを表示する。
【０００３】
図６は、従来の表示器の第１表示例を示す図である。
【０００４】
この図６では、それぞれドット状の有効電力計量領域表示セグメント１ａ、無効電力計量領域表示セグメント１ｂ、負荷入力表示セグメント１ｃ、停電表示セグメント１ｄの点灯状態により、計量象限と動作状態とが表示される。なお、セグメントとは、属性記号を意味する。
【０００５】
図７は、従来の表示器の第２表示例を示す図である。
【０００６】
この図７では、矢印状の有効電力計量領域表示セグメント２ａ、矢印状の無効電力計量領域表示セグメント２ｂ、矩形状の負荷入力表示セグメント２ｃ〜２ｅの点灯状態により、計量象限と動作状態とが表示される（例えば、特許文献１参考）。
【特許文献１】特開２００１−２５５３４４号公報
【発明の開示】
【発明が解決しようとする課題】
【０００７】
従来の電子式電力量計の表示器のように、電子式電力量計の計量象限及び動作状態を、ドット又は矢印状のセグメントにより表示した場合、目視による電子式電力量計の計量象限及び動作状態の把握が困難な場合がある。
【０００８】
本発明は、以上のような実情に鑑みてなされたもので、計量器の計量象限及び動作状態の視認性の向上させるための計量器の表示器を提供することを目的とする。
【課題を解決するための手段】
【０００９】
本発明を実現するにあたって講じた具体的手段について以下に説明する。
【００１０】
本発明の第１例において、計量器の表示器は、電力の計量値を表示する。計量器の表示器は、第１から第４までの計量領域を４象限により表す４象限記号を表示可能であり、電力の計量値について有効電力が正転側であり無効電力が遅れ側の場合、４象限記号のうち第１の計量領域を表す記号を点灯し、電力の計量値について有効電力が逆転側であり無効電力が遅れ側の場合、４象限記号のうち第３の計量領域を表す記号を点灯し、電力の計量値について有効電力が正転側であり無効電力が進み側の場合、４象限記号のうち第４の計量領域を表す記号を点灯し、電力の計量値について有効電力が逆転側であり無効電力が進み側の場合、４象限記号のうち第２の計量領域を表す記号を点灯する。
【００１１】
本発明の第２例において、計量器の表示器は、第１から第４までの計量領域を４象限により表す４象限記号を表示可能であり、電力の計量値が有効電力の正転側の計量値の場合、４象限記号のうち第１の計量領域と第４の計量領域を表す記号を点灯し、電力の計量値が有効電力の逆転側の計量値の場合、４象限記号のうち第２の計量領域と第３の計量領域を表す記号を点灯する。
【発明の効果】
【００１２】
本発明においては、計量器の計量象限及び動作状態の視認性を向上させることができ、計量値の誤読及び動作状態の誤判定を防止できる。
【発明を実施するための最良の形態】
【００１３】
以下、図面を参照しながら本発明の実施の形態について説明する。本実施の形態における計量器の一例として電子式電力量計がある。
【００１４】
図１は、本実施の形態に係る計量器の表示器の一例を示すブロック図である。
【００１５】
電圧検出回路３ａ〜３ｃは、Ａ〜Ｃ相のそれぞれの電圧を検出する。電流検出回路４ａ〜４ｃは、Ａ〜Ｃ相のそれぞれの電流を検出する。
【００１６】
有効電力演算回路５ａ〜５ｃは、それぞれ電圧検出回路３ａ〜３ｃによって検出された電圧と、それぞれ電流検出回路４ａ〜４ｃによって検出された電流とに基づいて、それぞれＡ〜Ｃ相について有効電力を算出する。
【００１７】
有効電力加算回路６は、各相の有効電力演算回路５ａ〜５ｃで算出された有効電力を加算する。
【００１８】
移相回路７ａ〜７ｃは、それぞれ電圧検出回路３ａ〜３ｃによって検出された電圧を９０度位相変化させる。
【００１９】
無効電力演算回路８ａ〜８ｃは、移相回路７ａ〜７ｃによって得られた位相後の電圧と、電流検出回路４ａ〜４ｃによって検出された電流とに基づいて、それぞれＡ〜Ｃ相について無効電力を算出する。
【００２０】
無効電力加算回路９は、各相の無効電力演算回路８ａ〜８ｃで算出された無効電力を加算する。
【００２１】
制御回路１０は、電圧検出回路３ａ〜３ｃの出力、電流検出回路４ａ〜４ｃの出力、有効電力演算回路５ａ〜５ｃの出力、有効電力加算回路６の出力、無効電力演算回路８ａ〜８ｃの出力、無効電力加算回路９の出力に基づいて、例えば液晶パネルなどの表示器１１の表示を制御する。
【００２２】
図２は、表示器１１の画面の一例を示す図である。
【００２３】
セグメント１２は、全相の電圧検出回路３ａ〜３ｃの出力が消失した場合に点灯（表示）される。このセグメント１２の表示は、全相の商用電源電圧が切断されたことを表す。
【００２４】
セグメント１３ａ〜１３ｃは、各相の電圧検出回路３ａ〜３ｃのそれぞれの出力にしたがって点灯される。各セグメント１３ａ〜１３ｃは、それぞれＡ〜Ｃ相について商用電源電圧が入力された場合に点灯される。
【００２５】
セグメント１４は、全相の電流検出回路４ａ〜４ｃの出力が消失した場合に点灯される。このセグメント１４の表示は、全相の商用電源電流が切断されたことを表す。
【００２６】
セグメント１５ａ〜１５ｃは、各相の電流検出回路４ａ〜４ｃのそれぞれの出力にしたがって点灯される。各セグメント１５ａ〜１５ｃは、それぞれＡ〜Ｃ相について商用電源電流が入力された場合に点灯される。
【００２７】
セグメント１６，１７は、有効電力加算回路６及び無効電力加算回路９の出力結果に基づいて点灯される。セグメント１６，１７は、計量器の計量象限を表す。
【００２８】
セグメント１８は、各相の電圧検出回路３ａ〜３ｃの出力に基づいて点灯される。セグメント１８は、入力電圧の正相又は逆相の状態を表す。
【００２９】
その他のセグメントは、例えば電池電圧残量表示、数値表示、数値の属性を説明する表示等である。
【００３０】
図３は、有効電力及び無効電力の状態を表すためのセグメント１６の詳細例を示す図である。
【００３１】
セグメント１６ａ，１６ｂは、有効電力の状態を表す。セグメント１６ｃ，１６ｄは、無効電力の状態を表す。
【００３２】
図４は、計量器の計量領域の表示例を示す図である。
【００３３】
各セグメント１７ａ〜１８ｄは、それぞれ第１〜第４の計量領域を表す。セグメント１７ｅは、計量領域の境界を表す。
【００３４】
図５は、計量領域の一例を示す４象限図である。
【００３５】
矢印１９ａで表される第１の計量領域（第１象限）及び第１の計量領域（第４象限）は、有効電力の正転側の計量領域を表す。
【００３６】
矢印１９ｂで表される第２の計量領域（第２象限）及び第３の計量領域（第３象限）は、有効電力の逆転側の計量領域を表す。
【００３７】
矢印１９ｃで表される第１の計量領域（第１象限）は、有効電力の計量領域が正転側の時の無効電力の遅れ側の計量領域を表す。
【００３８】
矢印１９ｄで表される第３の計量領域（第３象限）は、有効電力の計量領域が逆転側の時の無効電力の遅れ側の計量領域を表す。
【００３９】
矢印１９ｅで表される第４の計量領域（第４象限）は、有効電力の計量領域が正転側の時の無効電力の進み側の計量領域を表す。
【００４０】
矢印１９ｆで表される第２の計量領域（第２象限）は、有効電力の計量領域が逆転側の時の無効電力の進み側の計量領域を表す。
【００４１】
以下に、本実施の形態に係る計量器の表示動作の一例について説明する。
【００４２】
計量器の停電状態時においては、表示器１１の全セグメントが消灯する。ただし、計量器の停電状態時であっても、バックアップ用の電池などのように商用電源と異なる他の電源を用いて表示器１１を点灯させる場合には、セグメント１２，１４が点灯し、セグメント１３ａ〜１３ｃ，１５ａ〜１５ｃが消灯し、商用電源が切断されていることを表す。
【００４３】
計量器の各電圧検出回路３ａ〜３ｃに商用電源電圧が入力された場合、セグメント１２が消灯し、セグメント１３ａ〜１３ｃのうち商用電源電圧が入力された電圧検出回路に該当するセグメントが点灯し、欠相している電圧検出回路に該当するセグメントが消灯する。
【００４４】
計量器の各電流検出回路４ａ〜４ｃに商用電源電流が入力された場合、セグメント１４が消灯し、セグメント１５ａ〜１５ｃのうち商用電源電流が入力された電流検出回路に該当するセグメントが点灯し、欠相している電流検出回路に該当するセグメントが消灯する。
【００４５】
計量器に負荷が入力した場合、上記図５に示した４象限の計量領域に対応してセグメント１６，１７が点灯又は消灯する。
【００４６】
負荷が上記図５に示す第１の計量領域にある時、セグメント１６ａ，１６ｃ，１７ａ，１７ｅが点灯し、セグメント１６ｂ，１６ｄは双方ともプラス「＋」を表示する。
【００４７】
負荷が上記図５に示す第２の計量領域にある時、セグメント１６ａ，１６ｃ，１７ｂ，１７ｅが点灯し、セグメント１６ｂ，１６ｄは双方ともマイナス「−」を表示する。
【００４８】
負荷が上記図５に示す第３の計量領域にある時、セグメント１６ａ，１６ｃ，１７ｃ，１７ｅが点灯し、セグメント１６ｂはマイナス「−」、セグメント１６ｄはプラス「＋」を表示する。
【００４９】
負荷が上記図５に示す第４の計量領域にある時、セグメント１６ａ，１６ｃ，１７ｄ，１７ｅが点灯し、セグメント１６ｂはプラス「＋」、セグメント１６ｄはマイナス「−」を表示する。
【００５０】
有効電力の正転側の計量値を表す場合、セグメント１７ａ，１７ｄ，１７ｅが点灯する。
【００５１】
有効電力の逆転側の計量値を表す場合、セグメント１７ｂ，１７ｃ，１７ｅが点灯する。
【００５２】
セグメント１７ａ〜１７ｄのうち計量領域に該当しないセグメントは、点灯しない。
【００５３】
計量器に入力される電圧の相順が入れ替わった場合、セグメント１８が点灯する。
【００５４】
以上説明した本実施の形態では、第１〜第４の計量領域を４象限により表すセグメント１７のうち、計量器に入力した負荷の計量領域に該当するセグメントが点灯され、他のセグメントが消灯される。
【００５５】
これにより、計量器が計量している計量領域が視覚的に表示され、計量領域を明確に表すことができる。
【００５６】
また、欠相状態の場合においても、欠相状態に応じて電圧検出回路３ａ〜３ｃに該当するセグメント１３ａ〜１３ｃ、電流検出回路４ａ〜４ｃに該当するセグメント１５ａ〜１５ｃが点灯又は消灯されるため、計量器の入力状態を明確に表示できる。
【００５７】
また、入力電圧が誤って入力され、入力電圧が入れ違いとなった場合においても、逆相を表すセグメント１８が点灯されるため、誤配線のまま計量が継続されることを防止できる。
【００５８】
本実施の形態では、計量器の表示器１１に計量象限及び動作状態を表すセグメントが表示されるため、需要家の計量値の誤読、計量器の動作状態の誤判定を防止できる。
【００５９】
なお、本実施の形態において、各構成要素は、同様の動作を実現可能であれば自由に変形可能であり、配置を変更させてもよく、自由に組み合わせることが可能であり、分割することも可能である。
【図面の簡単な説明】
【００６０】
【図１】本発明の実施の形態に係る計量器の表示器の一例を示すブロック図。
【図２】表示器の画面の一例を示す図。
【図３】有効電力及び無効電力の状態を表すためのセグメントの詳細例を示す図。
【図４】計量器の計量領域の表示例を示す図。
【図５】計量領域の一例を示す４象限図。
【図６】従来の表示器の第１表示例を示す図。
【図７】従来の表示器の第２表示例を示す図。
【符号の説明】
【００６１】
３ａ〜３ｃ…電圧検出回路、４ａ〜４ｃ…電流検出回路、５ａ〜５ｃ…有効電力演算回路、６…有効電力加算回路、７ａ〜７ｃ…移相回路、８ａ〜８ｃ…無効電力演算回路、９…無効電力加算回路、１０…制御回路、１１…表示器、１２，１３ａ〜１３ｃ，１４，１５ａ〜１５ｃ，１６，１６ａ〜１６ｄ，１７，１７ａ〜１７ｅ，１８…セグメント
【図１】
2005308576.tif 000003
【図２】
2005308576.tif 000004
【図３】
2005308576.tif 000005
【図４】
2005308576.tif 000006
【図５】
2005308576.tif 000007
【図６】
2005308576.tif 000008
【図７】
2005308576.tif 000009